(57)【要約】【課題】前パネルの開口に対する液晶パネルの表示面２４Ａの位置決めを簡単かつ正確に行うことができ、前パネルの耐久性の向上を図る上で有利な液晶表示装置およびテレビジョン装置を提供する。【解決手段】液晶モジュール２２は、シャーシ２６が前パネル１４に取り付けられることで筐体１２の内部に配設されている。前パネル１４に対して液晶パネル２４の位置決めを行う位置決め機構３９は、位置決め部４０と回転阻止部４２とで構成されている。位置決め部４０は、前パネル１４に設けられた位置決めピン４０Ａと、トップシャーシ３６に設けられ位置決めピン４０Ａが嵌合される位置決め孔４０Ｂで構成されている。回転阻止部４２は、前パネル１４に設けられた係合ピン４２Ａと、トップシャーシ３６に設けられ係合ピン４２Ａが係合される長溝４２Ｂで構成されている。【選択図】図８
2008176105.tif 000002
【特許請求の範囲】
【請求項１】
筐体と、前記筐体に収容される液晶モジュールを備え、
前記筐体は、前方に臨みその内側に開口が形成された前パネルを有し、
前記液晶モジュールは、表示面を有する液晶パネルと、前記液晶パネルを保持し前記表示面を前記開口に臨ませ前記前パネルに取り付けられるシャーシとを備え、
前記前パネルに対して前記液晶パネルの位置決めを行う位置決め機構が設けられ、
前記位置決め機構は、位置決め部と回転阻止部とで構成され、
前記位置決め部は、前記前パネルあるいは前記シャーシの一方に設けられた位置決めピンと、前記前パネルあるいは前記シャーシの他方に設けられ前記位置決めピンが嵌合される位置決め孔で構成され、
前記回転阻止部は、前記前パネルあるいは前記シャーシの一方に設けられた係合ピンと、前記前パネルあるいは前記シャーシの他方に設けられ前記係合ピンに係合可能で前記係合ピンに係合することで前記位置決めピンを中心とする前記前パネルあるいは前記シャーシの回転を阻止する長溝で構成されている、
ことを特徴とする液晶表示装置。
【請求項２】
前記位置決め部と前記回転阻止部とは、左右方向において同一の位置に位置しており、上下方向において異なる位置に位置している、
ことを特徴とする請求項１記載の液晶表示装置。
【請求項３】
前記位置決め部と前記回転阻止部とは、左右方向において異なる位置に位置しており、上下方向において同一の位置に位置している、
ことを特徴とする請求項１記載の液晶表示装置。
【請求項４】
前記前パネルは、左右の辺と、前記左右の辺よりも大きい寸法の上下の辺からなる矩形枠状を呈し、
前記位置決めピンあるいは前記位置決め孔は、前記上下の辺のうちの一方の辺でその長手方向の中央に設けられ、
前記係合ピンあるいは前記長溝は、前記上下の辺のうちの他方の辺でその長手方向の中央に設けられ、
前記長溝は上下に延在している、
ことを特徴とする請求項１記載の液晶表示装置。
【請求項５】
前記前パネルは、左右の辺と、前記左右の辺よりも大きい寸法の上下の辺からなる矩形枠状を呈し、
前記位置決めピンあるいは前記位置決め孔は、前記上下の辺のうちの一方の辺でその長手方向の中央に設けられ、
前記係合ピンあるいは前記長溝は、前記上下の辺のうちの一方の辺でその長手方向の中央から離れた箇所に設けられ、
前記長溝は左右に延在している、
ことを特徴とする請求項１記載の液晶表示装置。
【請求項６】
前記位置決めピンおよび係合ピンは、前記前パネルが前記液晶パネルに臨む背面に設けられている、
ことを特徴とする請求項１記載の液晶表示装置。
【請求項７】
前記前パネルは合成樹脂製で、
前記シャーシは、前記液晶パネルの背面に当接されるミドルシャーシと、前記液晶パネルの表示面の４辺に当接される金属製のトップシャーシとを有し、
前記位置決め機構は前記前パネルと前記トップシャーシにわたって設けられている、
ことを特徴とする請求項１記載の液晶表示装置。
【請求項８】
前記前パネルは合成樹脂製で、
前記シャーシは、前記液晶パネルの背面に当接されるミドルシャーシと、前記液晶パネルの表示面の４辺に当接される金属製のトップシャーシとを有し、
前記位置決め孔と前記長溝は前記トップシャーシに設けられている、
ことを特徴とする請求項１記載の液晶表示装置。
【請求項９】
前記前パネルと前記シャーシとは、互いに熱膨張率の異なる材料で形成されている、
ことを特徴とする請求項１記載の液晶表示装置。
【請求項１０】
前記前パネルに取り付けられる前記シャーシの部分は、前記液晶パネルの表示面の４辺に当接されるトップシャーシであり、
前記前パネルと前記トップシャーシとは、互いに熱膨張率の異なる材料で形成されている、
ことを特徴とする請求項１記載の液晶表示装置。
【請求項１１】
筐体と、前記筐体に収容される液晶モジュールを備え、
前記筐体は、前方に臨みその内側に開口が形成された前パネルを有し、
前記液晶モジュールは、表示面を有する液晶パネルと、前記液晶パネルを保持し前記表示面を前記開口に臨ませ前記前パネルに取り付けられるシャーシとを備え、
前記前パネルに対して前記液晶パネルの位置決めを行う位置決め機構が設けられ、
前記位置決め機構は、位置決め部と回転阻止部とで構成され、
前記位置決め部は、前記前パネルあるいは前記シャーシの一方に設けられた位置決めピンと、前記前パネルあるいは前記シャーシの他方に設けられ前記位置決めピンが嵌合される位置決め孔で構成され、
前記回転阻止部は、前記前パネルあるいは前記シャーシの一方に設けられた係合ピンと、前記前パネルあるいは前記シャーシの他方に設けられ前記係合ピンに係合可能で前記係合ピンに係合することで前記位置決めピンを中心とする前記前パネルあるいは前記シャーシの回転を阻止する長溝で構成されている、
ことを特徴とするテレビジョン装置。
【発明の詳細な説明】
【技術分野】
【０００１】
本発明は液晶表示装置およびテレビジョン装置に関する。
【背景技術】
【０００２】
液晶表示装置を用いたテレビジョン装置やパーソナルコンピュータのディスプレイ装置などが提供されている。
このような液晶表示装置は、筐体とこの筐体に収容される液晶モジュールを備え、筐体は、前方に臨みその内側に開口が形成された合成樹脂製の前パネルを有している。
液晶モジュールは、表示面を有する液晶パネルと、液晶パネルを保持し表示面を開口に臨ませ前パネルに取り付けられる金属製のシャーシとを備えている。
ここで、シャーシの前パネルへの取り付けに際しては、開口の縁部によって液晶パネルの表示面の有効画面が覆われないように（いわゆる画欠けが生じないように）、開口に対する液晶パネルの表示面の位置決めを行う必要がある。
そして、シャーシの４隅に臨む前パネルの背面箇所に４つの位置決め部材をそれぞれ設け、シャーシの４隅を各位置決め部材に当て付けることで位置決めを行う構造が提供されている（特許文献１参照）。
【特許文献１】特開平７−６５０６０
【発明の開示】
【発明が解決しようとする課題】
【０００３】
しかしながら、上述した従来構造では、シャーシの外形寸法公差を考慮して、シャーシの４隅と各位置決め部材との間に隙間を設ける必要があることから、それら隙間分だけのガタが生じ、したがって、開口に対する液晶パネルの表示面の正確な位置決めを行う上で不利があった。
仮に前記隙間を縮小すると、開口に対する液晶パネルの表示面の位置決めを正確に行うことはできるものの、環境温度が急激に低下した場合、合成樹脂製の前パネルが金属製のシャーシよりも大きく収縮するため、前パネルの位置決め部材にストレスが加わってひびや割れが生じるなど、前パネルの耐久性の向上を図る上で不利がある。
本発明はこのような事情に鑑みなされたものであり、その目的は、前パネルの開口に対する液晶パネルの表示面の位置決めを簡単かつ正確に行うことができ、前パネルの耐久性の向上を図る上で有利な液晶表示装置およびテレビジョン装置を提供することにある。
【課題を解決するための手段】
【０００４】
上述の目的を達成するため、本発明の液晶表示装置は、筐体と、前記筐体に収容される液晶モジュールを備え、前記筐体は、前方に臨みその内側に開口が形成された前パネルを有し、前記液晶モジュールは、表示面を有する液晶パネルと、前記液晶パネルを保持し前記表示面を前記開口に臨ませ前記前パネルに取り付けられるシャーシとを備え、前記前パネルに対して前記液晶パネルの位置決めを行う位置決め機構が設けられ、前記位置決め機構は、位置決め部と回転阻止部とで構成され、前記位置決め部は、前記前パネルあるいは前記シャーシの一方に設けられた位置決めピンと、前記前パネルあるいは前記シャーシの他方に設けられ前記位置決めピンが嵌合される位置決め孔で構成され、前記回転阻止部は、前記前パネルあるいは前記シャーシの一方に設けられた係合ピンと、前記前パネルあるいは前記シャーシの他方に設けられ前記係合ピンに係合可能で前記係合ピンに係合することで前記位置決めピンを中心とする前記前パネルあるいは前記シャーシの回転を阻止する長溝で構成されていることを特徴とする。
また本発明のテレビジョン装置は、筐体と、前記筐体に収容される液晶モジュールを備え、前記筐体は、前方に臨みその内側に開口が形成された前パネルを有し、前記液晶モジュールは、表示面を有する液晶パネルと、前記液晶パネルを保持し前記表示面を前記開口に臨ませ前記前パネルに取り付けられるシャーシとを備え、前記前パネルに対して前記液晶パネルの位置決めを行う位置決め機構が設けられ、前記位置決め機構は、位置決め部と回転阻止部とで構成され、前記位置決め部は、前記前パネルあるいは前記シャーシの一方に設けられた位置決めピンと、前記前パネルあるいは前記シャーシの他方に設けられ前記位置決めピンが嵌合される位置決め孔で構成され、前記回転阻止部は、前記前パネルあるいは前記シャーシの一方に設けられた係合ピンと、前記前パネルあるいは前記シャーシの他方に設けられ前記係合ピンに係合可能で前記係合ピンに係合することで前記位置決めピンを中心とする前記前パネルあるいは前記シャーシの回転を阻止する長溝で構成されていることを特徴とする。
【発明の効果】
【０００５】
本発明によれば、位置決め機構により前パネルの開口に対する液晶パネルの表示面の位置決めがなされ、また、前パネルとシャーシとの間に熱膨張差が生じても係合ピンが長溝内を移動することでその熱膨張差は吸収される。
【発明を実施するための最良の形態】
【０００６】
（第１の実施の形態）
次に、本発明の第１の実施の形態について図面を参照して説明する。
まず、第１の実施の形態の液晶表示装置３０を用いたテレビジョン装置１０について説明する。
図１はテレビジョン装置１０の斜視図、図２は同分解斜視図である。
図１、図２に示すように、テレビジョン装置１０は、外装を構成する筐体１２と、筐体１２の下部に設けられ載置面に載置されるスタンド１２Ａとを備え、筐体１２内部に本発明に係る液晶表示装置３０が組み込まれ、また、筐体１２に電装部２０（図３参照）が設けられている。
【０００７】
筐体１２は前パネル１４と後部筐体１６とを備えて矩形板状を呈し、図中符号１８は左右のスピーカーを示し、筐体１２はテレビジョン装置１０の筐体であり、液晶表示装置３０の筐体でもある。
【０００８】
図３はテレビジョン装置１０の電装部２０の構成を示すブロック図である。
図３に示すように、電装部２０は、受信部２０Ａ、映像信号処理部２０Ｂ、音声信号処理部２０Ｃ、制御部２０Ｄ、操作部２０Ｅなどを含んで構成されている。
受信部２０Ａは、制御部２０Ｄからの指令に基づいて選局を行い、アンテナから受信したテレビジョン信号を復調して映像信号と音声信号に分離して出力する。
映像信号処理部２０Ｂは、前記映像信号に対して必要な信号処理を行い、液晶表示装置３０（図１参照）の液晶パネル２４に供給する。これにより、液晶パネル２４で画像が表示される。
音声信号処理部２０Ｃは、前記音声信号に対して必要な信号処理および増幅処理を行なってオーディオ信号を生成しスピーカー１８に供給する。これによりスピーカー１８から音声が発生される。
操作部２０Ｅは、テレビジョン装置１０による放送の視聴にまつわる種々の操作や設定を行うためのものであり、例えば、選局スイッチ、音量調整スイッチ、入力切り換えスイッチなどを含んでいる。
【０００９】
制御部２０Ｄは、操作部２０Ｅの操作に基づいて、受信部２０Ａ、映像信号処理部２０Ｂ、音声信号処理部２０Ｃの制御を行う。
また、図示しないが、ＤＶＤプレーヤーやビデオデッキなどの外部装置から供給される映像信号および音声信号を入力するための外部入力端子と、これら外部入力端子に供給された映像信号および音声信号を映像信号処理部２０Ｂおよび音声信号処理部２０Ｃに切り換えて入力する入力切り換え回路が設けられている。
操作部２０Ｅの操作により前記外部入力端子に供給される映像信号および音声信号が前記入力切り換え回路を介して映像信号処理部２０Ｂおよび音声信号処理部２０Ｃに供給されるようになっている。
【００１０】
図２に示すように、液晶表示装置３０は液晶モジュール２２を含んで構成され、液晶モジュール２２は筐体１２の内部に組み込まれている。なお、液晶表示装置３０は液晶モジュール２２と筐体１２とで構成されている。
液晶モジュール２２は、表示面２４Ａを有する液晶パネル２４と、不図示のバックライト装置と、それらを保持するシャーシ２６などを含んで構成されている。
図３において、符号３４は前述した電装部２０を構成する基板部を示し、基板部２８は液晶モジュール２２の後部に位置するシャーシ２６の箇所にねじを介して取着されている。
なお、基板部２８は液晶モジュール２２の一部を構成するものである。
【００１１】
図２に示すように、液晶パネル２４は矩形板状を呈している。
液晶パネル２４は、２枚の透明なガラス基材と、それらガラス基材の間に挟まれた液晶層と、それらガラス基材の内面に設けられた透明電極と、カラーフィルターと、偏光板などを含んで構成されている。
より詳細には、液晶パネル２４は、ガラスなどで構成された２枚の透明な基板を互いに対向配置させ、その間隙に、液晶を封入した液晶層を設けて構成されている。
一方の基板には、マトリクス状に配置された信号線、走査線、信号線と走査線の交点に配置されたスイッチング素子（薄膜トランジスタ）、画素電極などが形成されている。スイッチング素子は走査線により順次選択されると共に、信号線から供給される映像信号を、対応する画素電極に書き込む。
他方の基板には、対向電極、カラーフィルターが形成されている。
カラーフィルターは各画素に対応した複数のセグメントに分割されており、例えば、３原色である、赤色フィルタ、緑色フィルタ、青色フィルタの３つのセグメントに分割されている。
さらに、これら２枚の基板は２枚の偏光板で挟まれている。
なお、このような液晶パネル２４自体の構造には従来公知のさまざまな構成が採用可能である。
【００１２】
前記バックライト装置は、液晶パネル２４の後面に照明光を照射するもので、このように照明光を照射した状態で、画像表示用の駆動信号が走査線、信号線、対向電極に供給され液晶層の液晶が駆動されることで液晶パネル２４の表示面２４Ａに画像が表示される。
前記バックライト装置は、何れも図示しないが、液晶パネル２４の後方に位置するシャーシ２６の部分に形成され前方に開放状の照明用空間と、前記照明用空間を仕切る反射シートと、照明用空間に配設される蛍光管と、照明用空間の前部を閉塞する拡散板および光学シートなどを含んで構成されている。
前記蛍光管は、電流が供給されることにより白色光を発光する冷陰極管（蛍光ランプ）で構成されている。
より詳細には、蛍光管は、両側に電極が形成され、内壁に所定の蛍光材料が塗布され、管内にＨｇ（水銀）、Ｘｅ（キセノン）などの希ガスが封入されている。蛍光管はそれら電極に電流が流されると、フィラメントから熱電子が管内に放出され、放電が始まり、熱電子が管内のＨｇ原子と衝突して励起され、紫外線を放射する。Ｈｇ原子は、紫外線を放射することにより基底状態となる。そして、この紫外線が管壁に塗布されている蛍光材料により吸収されて白色光を外部に出射する。
【００１３】
前記反射シートは高い反射率を有する材料で形成され、前記蛍光管から照射された光を拡散板に反射して導くものであり、このような反射シートとして、従来公知のさまざまな市販品や材料が採用可能である。
前記拡散板は、前記蛍光管から照射された光、および、前記反射板で前記拡散板に反射された光の双方を拡散させて液晶パネル２４を後方から照射させるものであり、前記拡散板は半透明な材料で形成されている。
このような拡散板を構成する半透明な材料として、例えば、ポリスチレン樹脂あるいはＭＳ樹脂（スチレン−メチルメタクリレート樹脂）などの従来公知のさまざまな材料が採用可能である。
前記光学シートは、拡散板からの光を液晶パネル２４に導くものであり、光学シートは、拡散板が液晶パネル２４に臨む面に設けられている。光学シートは、従来公知のさまざまな市販品や材料が採用可能である。
なお、前記バックライト装置は従来公知のさまざまな構成が採用可能である。
【００１４】
次に前パネル１４と液晶モジュール２２との取り付け構造について説明する。
図４は図１のＡＡ線断面の斜視図、図５は図１のＡＡ線断面図である。
図６（Ａ）は前パネル１４を前方から見た斜視図、（Ｂ）は前パネル１４を後方から見た斜視図、図７は液晶モジュール２２の斜視図である。
図８は位置決め部４０と回転阻止部４２の位置を示す説明図である。
【００１５】
液晶パネル２４は、左右の辺よりも上下の辺が大きい寸法の横長の矩形を呈している。
図６（Ａ）、（Ｂ）に示すように、前パネル１４は、液晶パネルの４辺に沿って配置される上下の辺１４１０、１４１２と左右の辺１４１４、１４１６とを有し、矩形枠状を呈している。上下の辺１４１０、１４１２は左右の辺１４１４、１４１６よりも大きい寸法で形成されている。
前パネル１４の内側には矩形状の開口１４０２が形成されている。
前パネル１４は合成樹脂製である。
図７に示すように、液晶モジュール２２は、上述のように表示面２４Ａを有する液晶パネル２４と、液晶パネル２４を保持し表示面２４Ａを開口１４０２に臨ませ前パネル１４に取り付けられるシャーシ２６とを備えている。
【００１６】
図４、図５に示すように、液晶モジュール２２は、シャーシ２６が前パネル１４に取り付けられることで筐体１２の内部に配設されている。
シャーシ１６は、液晶パネル２４の後方に位置するボトムシャーシ３２と、ボトムシャーシ３２の４辺から前方に延在するミドルシャーシ３４と、ミドルシャーシ３４の前部に設けられた矩形枠状のトップシャーシ３６とを備えている。
本実施の形態では、ボトムシャーシ３２とトップシャーシ３６は金属製で、ミドルシャーシ３４は合成樹脂製である。
液晶パネル２４はその４辺がトップシャーシ３６とミドルシャーシ３４とにより挟持されることでシャーシ２６に保持されている。
そして、本実施の形態では、ボトムシャーシ３２に設けられた取り付け片３２０２にねじ挿通孔３２０４を設け、前パネル１４に雌ねじ１４０４を設け、ねじ４をねじ挿通孔３２０４を介して前パネル１４の雌ねじ１４０４に締結することによってシャーシ２６が筐体１２に取着され、これにより液晶パネル２４が筐体１２に組み込まれている。
また、図２に示すように、ボトムシャーシ３２の４隅と、後部筐体１６の４隅とにそれぞれにねじ挿通孔を設け、前パネル１４の４隅に雌ねじを設け、ねじ２を後部筐体１６のねじ挿通孔とボトムシャーシ３２のねじ挿通孔を介して前パネル１４の雌ねじに締結することによって液晶モジュール２２が筐体１２に組み込まれている。
なお、このような液晶パネル２４の筐体１２への組み込みおよび液晶モジュール２２の筐体１２への組み込みは従来公知のさまざまな構成が採用可能である。
【００１７】
図８に示すように、前パネル１４に対して液晶パネル２４の位置決めを行う位置決め機構３９が設けられている。
位置決め機構３９は、位置決め部４０と回転阻止部４２とで構成されている。
位置決め部４０と回転阻止部４２は、前パネル１４とシャーシ２６とにわたって設けられている。より詳細には、位置決め部４０と回転阻止部４２は、前パネル１４とトップシャーシ３６（図４、図５参照）とにわたって設けられている。
位置決め部４０は、前パネル１４の開口１４０２に対して液晶パネル２４の表示面２４Ａの位置決めを行うものである。
図４、図５、図８に示すように、位置決め部４０は、前パネル１４に設けられた位置決めピン４０Ａと、トップシャーシ３６に設けられ位置決めピン４０Ａが嵌合される位置決め孔４０Ｂで構成されている。
図８に示すように、位置決めピン４０Ａは前パネル１４が液晶パネル２４に臨む背面に設けられ、本実施の形態では、下辺１４１２の延在方向の中央に設けられ、下辺１４１２の背面から後方に突出している。
図７に示すように、トップシャーシ３６は、液晶パネルの４辺に沿って配置される上下の辺３６１０、３６１２と左右の辺３６１４、３６１６とを有している。
本実施の形態では、位置決め孔４０Ｂは下辺３６１２の延在方向の中央に設けられている。
【００１８】
回転阻止部４２は、位置決めピン４０Ａを中心とする前パネル１４あるいはシャーシ２６の回転を阻止するものであり、また、位置決めピン４０Ａおよび位置決め孔４０Ｂを基準とした前パネル１４とトップシャーシ３６（シャーシ２６）との熱膨張差を吸収するものである。
図８に示すように、回転阻止部４２は、前パネル１４に設けられた係合ピン４２Ａと、トップシャーシ３６に設けられ係合ピン４２Ａが係合される長溝４２Ｂで構成されている。
係合ピン４２Ａは、前パネル１４が液晶パネル２４に臨む背面に設けられ、本実施の形態では、上辺１４１０の延在方向の中央に設けられ、上辺１４１０の背面から後方に突出している。
長溝４２Ｂは、上辺３６１０の延在方向の中央に設けられ、上下に延在している。
この長溝４２Ｂの延在方向は、位置決めピン４０Ａ（位置決め孔４０Ｂ）を中心とした円周方向と直交する方向であり、したがって、位置決めピン４０Ａ（位置決め孔４０Ｂ）を中心とする前パネル１４あるいはシャーシ２６の回転を阻止する形状となっており、また、位置決めピン４０Ａ（位置決め孔４０Ｂ）と係合ピン４２Ａ（係合孔４２Ｂ）とを結ぶ方向に沿って延在しており、前パネル１４とシャーシ２６との熱膨張差を吸収する方向に延在していることになる。
【００１９】
次に、液晶表示装置３０の組み立てについて説明する。
まず、前パネル１４を、その背面を上方に向けて水平にした状態で、前パネル１４の上に液晶モジュール２２を載置する。
そして、前パネル１４の位置決めピン４０Ａを、トップシャーシ３６の位置決め孔４０Ｂに嵌合させるとともに、前パネル１４の係合ピン４２Ａをトップシャーシ３６の長溝４２Ｂに係合する。
これにより、前パネル１４の開口１４０２に対する液晶パネル２４の位置決めがなされると同時に、前パネル１４の位置決めピン４０Ａを中心とする回転が阻止される。
このように位置決めされたならば、次いで、図４、図５に示すように、ねじ４をねじ挿通孔３２０４を介して前パネル１４の雌ねじ１４０４に締結することでシャーシ２６が筐体１２に取着される。
次に、図２に示すように、ねじ２を後部筐体１６のねじ挿通孔とシャーシ２６のねじ挿通孔を介して前パネル１４の雌ねじに締結することによって液晶モジュール２２が筐体１２に保持される。
これにより、液晶表示装置３０の組み立てが完了する。
【００２０】
本実施の形態によれば、前パネル１４とトップシャーシ３６（シャーシ２６）にわたって設けられた位置決め部４０と回転阻止部４２を用いて前パネル１４の開口１４０２に対する液晶パネル２４の位置決めがなされるので、前パネル１４の開口１４０２に対する液晶パネル２４の位置決めを簡単かつ正確に行え、画欠けの発生を確実に防止する上で有利となる。
また、環境温度の低下によって前パネル１４がトップシャーシ３６（シャーシ２６）に比較して大きな寸法で収縮しても、前パネル１４の係合ピン４２Ａは長溝４２Ｂ内で移動できるため、位置決めピン４０Ａおよび係合ピン４２Ａに対してストレスが加わることがなく、前パネル１４の耐久性の向上を図る上で有利となる。
本実施の形態では、位置決めピン４０Ａおよび係合ピン４２Ａは共に横長に矩形枠状の前パネル１４の左右方向において同一の位置に（中央に）位置しているため、前パネル１４とトップシャーシ３６（シャーシ２６）との左右方向における熱膨張率の差は位置決めピン４０Ａおよび係合ピン４２Ａに影響せず、上下方向の熱膨張率の差のみが位置決めピン４０Ａおよび係合ピン４２Ａに影響する。しかしながら、本実施の形態では、長溝４２Ｂが上下に延在しているため、この長溝４２Ｂにより上下方向の熱膨張率の差を吸収でき、従来のように位置決め部材に起因したひびや割れを防止することが可能となる。
【００２１】
（第２の実施の形態）
次に第２の実施の形態について説明する。
図９は第２の実施の形態における位置決め部４０と回転阻止部４２の位置を示す説明図であり、以下の実施の形態では第１の実施の形態と同様の部分、部材には同一の符号を付して説明する。
第１の実施の形態では、位置決め部４０と回転阻止部４２とは、左右方向において同一の位置に位置しており、上下方向において異なる位置に位置していたのに対し、第２の実施の形態では、位置決め部４０と回転阻止部４２とは、左右方向において異なる位置に位置しており、上下方向において同一の位置に位置している。
位置決め部４０の構成は第１の実施の形態と同様である。
回転阻止部４２は、第１の実施の形態と異なっている。
すなわち、係合ピン４２Ａが、前パネル１４の下辺１４１２で長手方向の中央から離れた箇所に設けられ、下辺１４１２の背面から後方に突出している。
また、長溝４２Ｂは、トップシャーシ３６の下辺３６１２でその長手方向の中央から離れた箇所に設けられている。
長溝４２Ｂは左右方向に延在している。
この長溝４２Ｂの延在方向は、位置決めピン４０Ａ（位置決め孔４０Ｂ）を中心とした円周方向と直交する方向であり、したがって、位置決めピン４０Ａ（位置決め孔４０Ｂ）を中心とする前パネル１４あるいはシャーシ２６の回転を阻止する形状となっており、また、位置決めピン４０Ａ（位置決め孔４０Ｂ）と係合ピン４２Ａ（係合孔４２Ｂ）とを結ぶ方向に沿って延在しており、前パネル１４とトップシャーシ３６（シャーシ２６）との熱膨張差を吸収する方向に延在していることになる。
【００２２】
このような第２の実施の形態によれば、第１の実施の形態と同様に、前パネル１４とトップシャーシ３６（シャーシ２６）にわたって設けられた位置決め部４０と回転阻止部４２を用いて前パネル１４の開口１４０２に対する液晶パネル２４の位置決めがなされるので、前パネル１４の開口１４０２に対する液晶パネル２４の位置決めを簡単かつ正確に行え、画欠けの発生を確実に防止する上で有利となる。
また、環境温度の低下によって前パネル１４がトップシャーシ３６（シャーシ２６）に比較して大きな寸法で収縮しても、前パネル１４の係合ピン４２Ａは長溝４２Ｂ内で移動できるため、位置決めピン４０Ａおよび係合ピン４２Ａに対してストレスが加わることがなく、前パネル１４の耐久性の向上を図る上で有利となる。
第２の実施の形態では、位置決めピン４０Ａおよび係合ピン４２Ａは共に横長に矩形枠状の前パネル１４の下辺１４１２の箇所で上下方向の同一の位置に位置しているため、前パネル１４とトップシャーシ３６（シャーシ２６）との上下方向における熱膨張率の差は位置決めピン４０Ａおよび係合ピン４２Ａに影響せず、左右方向の熱膨張率の差のみが位置決めピン４０Ａおよび係合ピン４２Ａに影響する。しかしながら、本実施の形態では、長溝４２Ｂが左右に延在しているため、この長溝４２Ｂにより左右方向の熱膨張率の差を吸収でき、従来のように位置決め部材に起因したひびや割れを防止することが可能となる。
【００２３】
（第３の実施の形態）
次に第３の実施の形態について説明する。
図１０は第３の実施の形態における位置決め部４０と回転阻止部４２の位置を示す説明図である。
第３の実施の形態は、位置決め部４０と回転阻止部４２が前パネル１４の上辺１４１０およびトップシャーシ３６の上辺３６１０に設けられている点が第２の実施の形態と異なっており、それ以外の構成は第２の実施の形態と同様である。
すなわち、位置決め部４０の構成は第１の実施の形態と同様であり、回転阻止部４２は、第１の実施の形態と異なっている。
係合ピン４２Ａは、前パネル１４の下辺１４１２で長手方向の中央から離れた箇所に設けられ、下辺１４１２の背面から後方に突出している。
また、長溝４２Ｂは、トップシャーシ３６の下辺３６１２でその長手方向の中央から離れた箇所に設けられている。
長溝４２Ｂは左右方向に延在している。
このような第３の実施の形態においても第２の実施の形態と同様の効果が奏される。
【００２４】
なお、実施の形態では、位置決めピン４０Ａおよび係合ピン４２Ａを前パネル１４に設けるとともに、位置決め孔４０Ｂおよび係合孔４２Ｂをシャーシ２６に設けた場合について説明したが、位置決めピン４０Ａ、係合ピン４２Ａ、位置決め孔４０Ｂ、係合孔４２Ｂを前パネル１４およびシャーシ２６の何れに設けるかは任意である。
また、位置決めピン４０Ａや係合ピン４２Ａの断面形状は任意であり、従来公知のさまざまな構造が適用可能である。
また、実施の形態では、前パネル１４が合成樹脂製であり、トップシャーシ３６が金属製である場合について説明したが、前パネル１４およびトップシャーシ３６の双方が合成樹脂製、あるいは、金属製であってもよく、前パネル１４およびトップシャーシ３６の材料は任意である。
また、本実施の形態では、液晶表示装置３０がテレビジョン装置１０に適用された場合について説明したが、本発明は、デスクトップ型のパーソナルコンピュータのモニタ装置、ノート型パーソナルコンピュータ、液晶表示装置を有するビデオカメラやデジタルスチルカメラなどの撮像装置、ＰＤＡ、携帯電話機に用いることができることは無論のこと、液晶表示装置を有する種々の電子機器に広く用いることができる。
【図面の簡単な説明】
【００２５】
【図１】テレビジョン装置１０の斜視図である。
【図２】テレビジョン装置１０の分解斜視図である。
【図３】テレビジョン装置１０の電装部２０の構成を示すブロック図である。
【図４】図１のＡＡ線断面の斜視図である。
【図５】図１のＡＡ線断面図である。
【図６】（Ａ）は前パネル１４を前方から見た斜視図、（Ｂ）は前パネル１４を後方から見た斜視図である。
【図７】液晶モジュール２２の斜視図である。
【図８】位置決め部４０と回転阻止部４２の位置を示す説明図である。
【図９】第２の実施の形態における位置決め部４０と回転阻止部４２の位置を示す説明図である。
【図１０】第３の実施の形態における位置決め部４０と回転阻止部４２の位置を示す説明図である。
【符号の説明】
【００２６】
１０……テレビジョン装置、１２……筐体、１４……前パネル、１４０２……開口、２２……液晶モジュール、２４……液晶パネル、２４Ａ……表示面、２６……シャーシ、３０……液晶表示装置、３９……位置決め機構、４０……位置決め部、４０Ａ……位置決めピン、４０Ｂ……位置決め孔、４２……回転阻止部、４２Ａ……係合ピン、４２Ｂ……長溝。
【図１】
2008176105.tif 000003
【図２】
2008176105.tif 000004
【図３】
2008176105.tif 000005
【図４】
2008176105.tif 000006
【図５】
2008176105.tif 000007
【図６】
2008176105.tif 000008
【図７】
2008176105.tif 000009
【図８】
2008176105.tif 000010
【図９】
2008176105.tif 000011
【図１０】
2008176105.tif 000012